(57)【特許請求の範囲】
【請求項１】
フイルムの一側にそってパーフォレーションが形成され，他側にそって光学情報記録領域が設けられ，これらのパーフォレーションと光学情報記録領域が各駒の画像記録領域に対応している，そのような写真フイルムをその長手方向に搬送しながら，
パーフォレーション・センサによってパーフォレーションのエッジを検出し，
駒に対応するパーフォレーションのエッジまたは隣接する駒に対応するパーフォレーションのエッジの検出を基準に写真フイルムの搬送距離を測定し，
搬送距離があらかじめ定めた第１の値になったときに光センサによる光学情報の読取りを開始し，あらかじめ定めた第２の値になったときに終了する光学情報の読取方法であり，
写真フイルムを駒番号の順序にしたがう順方向に搬送し，
第１番目の駒に対応するパーフォレーションを検出したことに応答して写真フイルムを逆方向に所定距離搬送し，
その後，再び写真フイルムを順方向に搬送しながら，第１番目の駒の位置よりも前方に設けられている光学情報記録領域の光学情報を読取る，
フイルム・スキャナにおける光学情報の読取方法。
【請求項２】
フイルムの一側にそってパーフォレーションが形成され，他側にそって光学情報記録領域が設けられ，これらのパーフォレーションと光学情報記録領域が各駒の画像記録領域に対応している，そのような写真フイルムをその長手方向に搬送しながら，
パーフォレーション・センサによってパーフォレーションのエッジを検出し，
駒に対応するパーフォレーションのエッジまたは隣接する駒に対応するパーフォレーションのエッジの検出を基準に写真フイルムの搬送距離を測定し，
搬送距離があらかじめ定めた第１の値になったときに光センサによる光学情報の読取りを開始し，あらかじめ定めた第２の値になったときに終了する光学情報の読取方法であり，
写真フィルムを駒番号の順序にしたがう順方向に，写真フィルムの後端部まで搬送し，その後写真フイルムを駒番号の順序とは逆の方向に搬送しながら，最終駒に対応する光学情報記録領域から光学情報の読取りを順次行い，
第１番目の駒に対応する光学情報の読取りに続いて，第１番目の駒の位置よりも前方に設けられている光学情報記録領域の光学情報を読取る，
フイルム・スキャナにおける光学情報の読取方法。
【請求項３】
写真フィルムの順方向搬送において，
上記パーフォレーション・センサが写真フイルムの先端部のフイルム・ベースに面したときに上記パーフォレーション・センサの出力信号レベルを読取り，
読取った信号レベルに基づいてパーフォレーション検出のためのしきい値を設定する，
請求項１または２に記載の方法。
【請求項４】
写真フイルムの画像記録領域と光学情報記録領域とを一つの光源で照明する，請求項１または２に記載の方法。
【請求項５】
上記光学情報記録領域が，フイルム製造工程において光学情報が記録される第１の領域と，カメラ内において光学情報が記録される第２の領域とを含み，これらの第１の領域と第２の領域がフイルムの長手方向に配列されており，
上記の第１の領域および第２の領域の始端と終端とをパーフォレーションのエッジを基準とする搬送距離によって定め，一つの光センサによって上記第１の領域と第２の領域の光学情報を読取る，
請求項１または２に記載の方法。
【請求項６】
上記第１の領域に記録される光学情報が所定位置に設けられる所定パターンを含み，上記所定パターンを上記光センサが走査したときに上記光センサから出力される信号のレベルに基づいて上記光学情報の他の部分から得られる信号のレベルを弁別するためのしきい値を定める，請求項５に記載の方法。
【請求項７】
上記第２の領域を上記光センサが走査したときに上記光センサから出力される信号の立上りまたは立下りの傾きに基づいて上記第２の領域の光学情報を判別する，請求項５に記載の方法。
【請求項８】
上記光学情報が互いに平行なクロック・コード列と，データ・コード列とを含み，
上記クロック・コード列を走査する光センサの出力信号の変曲点を検出し，
検出した変曲点のタイミングで上記データ・コード列を走査する光センサの出力信号のレベルを読取る，請求項１または２に記載の方法。
【請求項９】
写真フイルムをカートリッジから引出して最終駒まで順方向に搬送し，その後写真フイルムを逆方向に第１駒まで搬送し，この逆方向搬送において各駒の画像記録領域の画像を画像読取センサにより読取る，請求項１または２に記載の方法。
【請求項１０】
フイルムの一側にそってパーフォレーションが形成され，他側にそって光学情報記録領域が設けられ，これらのパーフォレーションと光学情報記録領域が各駒の画像領域領域に対応している，そのような写真フイルムの画像記録領域に記録された画像を読取るフイルム・スキャナにおいて，
写真フイルムをその長手方向に搬送するフイルム搬送装置，
上記フイルム搬送装置によって搬送されている写真フイルムのパーフォレーションのエッジを検出するパーフォレーション・センサ，
上記光学情報記録領域に記録された情報に対応するレベルの信号を出力する光センサ，
上記フイルム搬送装置による写真フイルムの搬送距離を測定する距離測定手段，
駒に対応するパーフォレーションのエッジまたは隣接する駒に対応するパーフォレーションのエッジを上記パーフォレーション・センサが検出したことに応答して上記距離測定手段に上記エッジからの搬送距離を測定させ，この測定された搬送距離が第１の値となったときに上記光センサからの出力信号の取込を開始し，第２の値となったときに取込を終了する光学情報読取制御手段，および
写真フイルムをまず順方向に搬送し，上記パーフォレーション・センサが第１駒に対応するパーフォレーションを検出したことに応答して写真フイルムを所定距離逆方向に搬送し，その後再び順方向に搬送するように上記フイルム搬送装置を制御する搬送制御手段を備え，
上記光学情報読取制御手段が，上記フィルム搬送装置による写真フイルムの２回目の順方向搬送において，上記光センサからの出力信号を取込むことにより，第１駒の位置よりも前方にある光学情報記録領域の光学情報を読取るものである，
フイルム・スキャナ。
【請求項１１】
フイルムの一側にそってパーフォレーションが形成され，他側にそって光学情報記録領域が設けられ，これらのパーフォレーションと光学情報記録領域が各駒の画像領域領域に対応している，そのような写真フイルムの画像記録領域に記録された画像を読取るフイルム・スキャナにおいて，
写真フイルムをその長手方向に搬送するフイルム搬送装置，
上記フイルム搬送装置によって搬送されている写真フイルムのパーフォレーションのエッジを検出するパーフォレーション・センサ，
上記光学情報記録領域に記録された情報に対応するレベルの信号を出力する光センサ，
上記フイルム搬送装置による写真フイルムの搬送距離を測定する距離測定手段，
駒に対応するパーフォレーションのエッジまたは隣接する駒に対応するパーフォレーションのエッジを上記パーフォレーション・センサが検出したことに応答して上記距離測定手段に上記エッジからの搬送距離を測定させ，この測定された搬送距離が第１の値となったときに上記光センサからの出力信号の取込を開始し，第２の値となったときに取込を終了する光学情報読取制御手段，および
写真フイルムを順方向に最終駒まで搬送し，その後逆方向に搬送するように上記フイルム搬送装置を制御する搬送制御手段を備え，
上記光学情報読取制御手段が，上記搬送装置による逆方向搬送において，第１駒に対応する光学情報読取りに続いて上記光センサからの出力信号を取込むことにより，第１駒の位置よりも前方にある光学情報記録領域の光学情報を読取るものである，
フイルム・スキャナ。
【請求項１２】
写真フィルムの順方向搬送において，上記パーフォレーション・センサが写真フイルムの先端部のフイルム・ベースに面する位置まで写真フイルムが搬送されたことを検出する手段，および
フイルム・ベースに面する上記パーフォレーション・センサから出力される信号のレベルに基づいてパーフォレーション検出のためのしきい値を設定する手段，
をさらに備えた請求項10または11のフイルム・スキャナ。
【請求項１３】
写真フイルムの画像記録領域と光学情報記録領域とを同時に照明する光源を備えている，請求項10または11に記載のフイルム・スキャナ。
【請求項１４】
上記光学情報記録領域が，フイルム製造工程において光学情報が記録される第１の領域と，カメラ内において光学情報が記録される第２の領域とを含み，これらの第１の領域と第２の領域がフイルムの長手方向に配列されており，
上記光学情報読取制御手段は，パーフォレーションのエッジを基準とする搬送距離によって定められる上記第１の領域および第２の領域の始端からそれぞれ上記光センサの出力信号の取込を開始し，上記第１の領域および第２の領域の終端でそれぞれ上記センサの出力信号の取込を終了する，
請求項10または11に記載のフイルム・スキャナ。
【請求項１５】
上記第１の領域に記録される光学情報が所定位置に設けられる所定パターンを含み，
上記所定パターンを上記光センサが走査したときに上記光センサから出力される信号のレベルに基づいて上記光学情報の他の部分から得られる信号のレベルを弁別するためのしきい値を設定する手段をさらに備えた，請求項14に記載のフイルム・スキャナ。
【請求項１６】
上記第２の領域を上記光センサが走査したときに上記光センサから出力される信号の立上りまたは立下りの傾きに基づいて上記第２の領域の光学情報を判別する手段をさらに備えた，請求項14に記載のフイルム・スキャナ。
【請求項１７】
上記光学情報が互いに平行なクロック・コード列と，データ・コード列とを含み，
上記クロック・コード列を走査する光センサの出力信号の変曲点を検出する手段，および
検出した変曲点のタイミングで上記データ・コード列を走査する光センサの出力信号のレベルを読取る手段，
をさらに備えた請求項10または11に記載のフイルム・スキャナ。
【発明の詳細な説明】
【０００１】
【技術分野】
この発明は写真フイルムに記録された画像を読取るフイルム・スキャナに関する。
【０００２】
【従来技術】
新しい規格の写真フイルム，ＡＰＳ（Advanced Photo System ）フイルムが提案されている。このＡＰＳフイルムは画像記録領域に加えて，フイルムの一側に沿って磁気情報記録領域および光学情報記録領域が設けられている。これらの記録領域には，フイルムＩＤ等のフイルムに関する情報，駒番号等の各駒に関する情報，アスペクト比等のプリントのための情報，その他の撮影に関する情報が記録される。
【０００３】
フイルム・スキャナは写真フイルムに記録された画像情報を読取り，画像データを得るものである。この画像データを用いて画像表示またはプリントが行なわれる。画像表示またはプリント処理のために上述した磁気情報，光学情報が必要となる。
【０００４】
フイルム・スキャナには２つのタイプが考えられる。その１はフラット・ベッド・タイプのものであり，フイルムを静止させた状態でフイルムの画像情報を読取る。もう１つは搬送タイプのものであり，フイルムを搬送しながらフイルムから画像情報を読取る。
【０００５】
後者のタイプのものではフイルムに記録された磁気情報および光学情報の読取りタイミングの制御が重要である。
【０００６】
【発明の開示】
この発明は写真フイルムを搬送しながらそこに記録された光学情報を正しく読取ることができる読取方法およびフイルム・スキャナを提供するものである。
【０００７】
写真フイルムの一側にそってパーフォレーションが形成され，他側にそって光学情報記録領域が設けられている。これらのパーフォレーションと光学情報記録領域は各駒の画像記録領域に対応している。
【０００８】
この発明による光学情報の読取方法は，このような写真フイルムをその長手方向に搬送しながら，パーフォレーション・センサによってパーフォレーションのエッジを検出し，駒に対応するパーフォレーションのエッジまたは隣接する駒に対応するパーフォレーションのエッジの検出を基準に写真フイルムの搬送距離を測定し，搬送距離があらかじめ定めた第１の値になったときに光センサによる光学情報の読取りを開始し，あらかじめ定めた第２の値になったときに終了するものである。
【０００９】
この発明によるフイルム・スキャナは，写真フイルムをその長手方向に搬送するフイルム搬送装置，上記フイルム搬送装置によって搬送されている写真フイルムのパーフォレーションのエッジを検出するパーフォレーション・センサ，上記光学情報記録領域に記録された情報に対応するレベルの信号を出力する光センサ，上記フイルム搬送装置による写真フイルムの搬送距離を測定する距離測定手段，および駒に対応するパーフォレーションのエッジまたは隣接する駒に対応するパーフォレーションのエッジを上記パーフォレーション・センサが検出したことに応答して上記距離測定手段に上記エッジからの搬送距離を測定させ，この測定された搬送距離が第１の値となったときに上記光センサからの出力信号の取込を開始し，第２の値となったときに取込を終了する光学情報読取制御手段を備えているものである。
【００１０】
写真フイルムをその駒番号の順序にしたがう順方向に搬送しながら光学情報を読取ることもできるし，逆方向に搬送しながら光学情報を読取ることもできる。
【００１１】
この発明によると，写真フイルムを一方向に搬送しながら，検出したパーフォレーションの位置を基準に，読取るべき光学情報の記録領域を決定し，読取りタイミングを制御している。
【００１２】
写真フイルム上において光学情報記録領域とパーフォレーションとの位置関係はあらかじめ定められているので，パーフォレーションの検出位置を基準にして写真フイルムの搬送距離を測定することにより，光学情報の正しい読取りタイミングを決定することができる。写真フイルムを一方向に移送しながら光学情報を正確に読取ることができるようになる。
【００１３】
この発明によると，第１駒目の画像記録領域よりもフイルム先端寄りに記録された光学情報を読むこともできる。
【００１４】
第１駒目の画像記録領域よりもフイルム先端寄りに記録された光学情報を，写真フイルムを順方向に移送しながら読取るときには次のように制御される。
【００１５】
写真フイルムを駒番号の順序にしたがう順方向に搬送し，第１番目の駒に対応するパーフォレーションを検出したことに応答して写真フイルムを逆方向に所定距離搬送し，その後，再び写真フイルムを順方向に搬送しながら，第１番目の駒の位置よりも前方に設けられている光学情報記録領域の光学情報を読取る。
【００１６】
写真フイルムを逆方向に移送しながら光学情報を読取るときには次のような制御が行なわれる。
【００１７】
写真フイルムを駒番号の順序とは逆の方向に搬送し，第１番目の駒に対応する光学情報の読取りに続いて，第１番目の駒の位置よりも前方に設けられている光学情報記録領域の光学情報を読取る。
【００１８】
写真フイルムのフイルム・ベースの濃度には個体差があり，フイルムごとに濃度が異なる。このため，フイルムの光透過率または光反射率がフイルムごとに異なる。
【００１９】
この発明は写真フイルムのフイルム・ベースの濃度にかかわらずパーフォレーションを常に正しく検出できる方法および装置を提供している。
【００２０】
この発明によると，写真フイルムを順方向に搬送し，上記パーフォレーション・センサが写真フイルムの先端部のフイルム・ベースに面したときに上記パーフォレーション・センサの出力信号レベルを読取り，読取った信号レベルに基づいてパーフォレーション検出のためのしきい値を設定し，設定されたしきい値を用いてパーフォレーション・センサの出力信号をレベル弁別する。
【００２１】
パーフォレーション検出のためのしきい値がフイルム・ベースの濃度（光透過率または光反射率）に応じて変えられているので，いかなる濃度をもつ写真フイルムであってもパーフォレーションの位置を正しく検出できる。
【００２２】
写真フイルムの光学情報記録領域には，規格によると，フイルム製造工程において光学情報が記録される第１の領域と，カメラ内において光学情報が記録される第２の領域とが含まれ，これらの第１の領域と第２の領域がフイルムの長手方向に配列されている。
【００２３】
この発明によると，第１の領域の光学情報と第２の領域の光学情報とが区別して読取られる。すなわち，上記の第１の領域および第２の領域の始端と終端とがパーフォレーションのエッジを基準とする搬送距離によって定められる。これによって一つの光センサによって上記第１の領域と第２の領域の光学情報の読取りが可能となる。
【００２４】
第１の領域の光学情報を記録するための光源と第２の領域の光学情報を記録するための光源とは一般に異なるので，これらの光学情報の濃度が異なることがある。そのために，第１の領域と第２の領域とでは読取り方法ないしは情報識別方法を異ならせるとよい。
【００２５】
この発明の一実施態様では，上記第１の領域に記録される光学情報が所定位置に設けられる所定パターンを含む場合に，上記所定パターンを上記光センサが走査したときに上記光センサから出力される信号のレベルに基づいて上記光学情報の他の部分から得られる信号のレベルを弁別するためのしきい値を定める。
【００２６】
これにより，フイルム・ベースの濃度，汚れ等に影響されずに正しく第１の領域の光学情報を読取ることができる。
【００２７】
この発明の他の実施態様によると，上記第２の領域を上記光センサが走査したときに上記光センサから出力される信号の立上りまたは立下りの傾きに基づいて上記第２の領域の光学情報を判別する。
【００２８】
あるタイプの光学情報は，互いに平行なクロック・コード列と，データ・コード列とによって表わされる。このような光学情報については，クロック・コード列を走査する光センサの出力信号の変曲点を検出し，検出した変曲点のタイミングでデータ・コード列を走査する光センサの出力信号のレベルを読取る。
【００２９】
これにより，クロック・コード列によって表わされるクロック・タイミングでデータ・コード列によって表わされるデータを正しく読取ることができる。
【００３０】
【実施例の説明】
図１は新しいタイプ（規格）の写真フイルム，すなわちＡＰＳ（Advanced Photo System)フイルムの基本的な構成を示している。
【００３１】
ＡＰＳフイルム１はカートリッジ２内に回転自在に設けられたスプール（図示略）にその端末が固定されている。図１はＡＰＳフイルム１がカートリッジ２から引出された状態を示している。この図はＡＰＳフイルム１をバック面（感光乳剤面ではない面）から見たものである。
【００３２】
ＡＰＳフイルム１の先端部の一側には切欠きＣＵがある。ＡＰＳフイルム１の先端部の適当な長さの部分を除いてフイルム１の全体には画像を記録する領域ＡＲ（ＡＲ１〜ＡＲｎ）がある。また，ＡＰＳフイルム１の上記の一側に沿ってパーフォレーションＰＭ，ＰＡ（ＰＭ１〜ＰＭｎ，ＰＡ０〜ＰＡｎ）が形成されている。
【００３３】
画像記録領域ＡＲはカメラによって写真撮影時に露光される最大領域（Exposed Image Area）である。プリント，表示等の対象となる領域（Printed or Projected Image Area ）（この領域の大きさは後述するＦＡＴコードによって指定される：図５に一例としてＨ画像領域が示されている）は領域ＡＲ内に設けられる。パーフォレーションＰＭとＰＡはそれぞれ画像記録領域ＡＲの前端，後端に相当する位置にあり，これらの領域ＡＲを規定する。前端のパーフォレーションをＭ（Metering），後端のパーフォレーションをＡ（Anticipation）という。第１番目（No. １）の駒（フレーム）の前端のパーフォレーションＰＭ１の前方にもパーフォレーションＰＡ０が形成されている。
【００３４】
ＡＰＳフイルム１のパーフォレーションＰＡ０〜ＰＡｎが形成された一側とは反対の側（他側という）であって，最も後尾の駒（No. ｎ）の領域ＡＲｎの後方にはエンド・パーフォレーションＰＥが形成されている。
【００３５】
ＡＰＳフイルム１に記録される光学情報について説明する。
【００３６】
画像記録領域ＡＲを挟んでパーフォレーションＰＭ，ＰＡと反対側にはＦＡＴ（またはＰＡＲ：Print Aspect Ratio）ビット領域ＦＡ（ＦＡ１〜ＦＡｎ）とフレーム・バーコード領域ＦＲ（ＦＲ１〜ＦＲｎ）が設けられている。
【００３７】
ＦＡＴビットは写真撮影時に撮影者が意図したアスペクト・レシオ（画像の縦横の比）を表わすものである。このアスペクト・レシオはプリントまたは表示処理において利用され，そのアスペクト・レシオを持つ画像がプリントまたは表示される。たとえば，プリント・フォーマットには，Ｃ（ConventionalサイズまたはＬ：Ｌサイズ），Ｐ（Panoramaサイズ）およびＨ（High vision サイズ）の３種類がある。図２はＣサイズのプリント・フォーマットを表わすＦＡＴビットの例を示すものである。Ｃサイズは２データ・ビットにより表わされる。Ｐサイズは１データ・ビットにより，Ｈサイズはデータ・ビットなしで表現される。
【００３８】
フレーム・バーコード領域ＦＲには，一例を図３に示すようなフレーム・バーコードが記録されている。フレーム・バーコードはクロック・コード列ＣＬＣとデータ・コード列ＤＴＣとから構成されている。データ・コード列ＤＴＣによってメーカ／フイルムの種類，駒No. 等が表わされる。クロック・コード列ＣＬＣはデータの読取りタイミングを規定するものである。
【００３９】
ＦＡＴビット領域ＦＡとフレーム・バーコードＦＲとはＡＰＳフイルム１の他側に沿って駒ごとに設けられている。ＡＰＳフイルム１のリーダ部（画像記録領域ＡＲが設けられる部分よりも先端側の部分）において，上記他側に沿ってロットNo. バーコード領域ＲＴ１，フイルムＩＤバーコード領域ＦＩ１およびＣＨＯＬ領域ＣＨがこの順序で設けられている。また，ＡＰＳフイルム１のトレーラ部（画像記録領域ＡＲが設けられた部分よりも端末側の部分）において（エンド・パーフォレーションＰＥの後方），上記他側に沿って，フイルムＩＤバーコード領域ＦＩ２およびロットNo. バーコード領域ＲＴ２がこの順に設けられている。リーダ部の２つのバーコード領域ＲＴ１，ＦＩ１とトレーラ部の２つのバーコード領域ＦＩ２，ＲＴ２とは対称になっている。これらのバーコードは図３に示すフレーム・バーコードＦＲと同じようにクロック・コード列とデータ・コード列とから構成されている。
【００４０】
ロットNo. バーコードはＡＰＳフイルムを製造したメーカのロットNo. を表わすものである。フイルムＩＤバーコードはフイルムＩＤNo. とフイルム長を表わす。フイルム長はフイルムに含まれる駒の数を用いて，40駒，25駒，15駒のように表わされる。
【００４１】
ＣＨＯＬ領域ＣＨに記録されるＣＨＯＬドットはカメラに装填されたときのフイルムの姿勢を表わすもので，カメラ背面からみてカートリッジが左側の場合にはＣＨＯＬビットは１，右側の場合には０である。フイルムの姿勢はカメラの構造によって定まる。図４にＣＨＯＬビット＝１の例が示されている。
【００４２】
上述した各領域ＲＴ１，ＦＩ１，ＣＨ，ＦＡ，ＦＲ，ＦＩ２およびＲＴ２に記録される情報は光学情報であり，フイルム１を現像したときに現われる。ロットNo. バーコード領域ＲＴ１，ＲＴ２，フイルムＩＤバーコード領域ＦＩ１，ＦＩ２，およびフレーム・バーコード領域ＦＲにはフイルムの製造時にバーコード（図３参照）が記録される。これに対して，ＦＡＴビット領域ＦＡとＣＨＯＬ領域ＣＨのデータ・ビット（図２および図４参照）は写真撮影時に，またはフイルムが装填されたときに，カメラが，カメラに内蔵された光源を用いて，所定パターンを露光することにより記録する。
【００４３】
上に説明した各種領域の具体的な寸法例が図５から図７に示されている。この図において，数字の単位はmm（ミリメートル）である。各領域の寸法はバーコードやデータ・ビットを記録する最大の範囲を表わすもので，この範囲内に一杯にバーコードやデータ・ビットが記録されているとは限らず，前後に若干の余白があるのが一般的である。
【００４４】
光学情報としては上述のもの以外に，人間が読むことのできる数字を用いて記録されるロットNo. ，フイルムNo. ，フイルム長（駒数），駒No. 等がある。これらはＡＰＳフイルム１の上記一側に沿って上記他側の各領域に対応する位置に設けられる。
【００４５】
ＡＰＳフイルム１は２つの面をもつ。その一つは感光乳剤面であって，この面に撮影によって画像が記録される。上述した光学情報は感光乳剤面に記録される。他の面において，上述した各領域ＲＴ１，ＦＩ１，ＣＨ，ＦＡ，ＦＲ等に対応する箇所に，磁気記録領域が設けられる。磁気記録領域は透明磁性体を塗布することにより形成される磁気記録層である。磁気記録領域にはフイルムの姿勢に関する情報（ＣＨＯＬ），アスペクト比に関する情報（ＰＡＲ），撮影日時，被写体距離，一駒の画像内における主要被写体の位置等の光学情報よりも詳細な情報が記録される。
【００４６】
ＡＰＳフイルムの特徴の一つは現像後においても現像前と同じようにカートリッジ２内に収納されているということである。
【００４７】
フイルム・スキャナはカートリッジ２からフイルム１を引出しながら搬送し，フイルムの搬送過程において，フイルムに記録されている光学情報，磁気情報を読取り，さらにフイルムに記録されている画像を読取るものである。読取られた画像は必要に応じてメモリに記憶され，または表示装置に表示され，またはプリントされる。フイルムの画像記録領域ＡＲに記録されている画像の読取りモードには大きく分けて２つある。その一つは粗く読取るものである。粗く読取られた画像はインデックス画像として用いられる。すなわち，多くの小さな画像が縦複数列，横複数段に配列されて表示される。粗く読取るモードにおいて，各画像に適したシャッタ速度，明るさ，ホワイト・バランス等の値が検出される。もう一つは細かな解像度で画像を読取るものである。得られた画像データは表示，プリント等に用いられる。
【００４８】
図８から図10はフイルム・スキャナの概略的構成を示している。
【００４９】
カートリッジ２から引出されたＡＰＳフイルム１は搬送路を通って巻取軸５に巻取られる。カートリッジ２から巻取軸５の方向にフイルム１を搬送することを順方向搬送，これと逆向きの搬送を逆方向搬送という。また，順方向搬送を基準にしてフイルムの搬送方向の前後を定める。
【００５０】
フイルム搬送路において，フイルム１の上記一側が通過する位置には，２つのパーフォレーション・センサ11Ａと11Ｂが配置されている。パーフォレーション・センサ（ＣＣＤパーフォレーション・センサ）11Ａの出力信号は画像記録領域ＡＲの画像および上述した光学情報記録領域ＲＴ１，ＦＩ１，ＲＴ２，ＦＩ２，ＣＨ，ＦＡ，ＦＲの光学情報の読取りに関するタイミングを決定するために用いられる。パーフォレーション・センサ11Ｂの出力信号は磁気情報記録領域の磁気情報の読取りまたは書込みに関するタイミングを決定するために用いられる。
【００５１】
もう１つのパーフォレーション・センサ11Ｃがフイルム１の上記他側が通過する高さ位置であって，センサ11Ａ，11Ｂよりも搬送方向前方に配置されている。このセンサ11Ｃの出力信号はカートリッジ２から引出されたフイルム１の先端がこの位置に至ったこと（ローディングの完了），およびフイルム１の後端（エンド・パーフォレーションＰＥ）がこの位置に至ったことの検知に用いられる。
【００５２】
光学情報記録領域が通過する高さ位置であって，搬送方向においては上記のパーフォレーション・センサ11Ａとほぼ同じ位置に，光学情報の読取光センサ12が配置されている。
【００５３】
さらに，これらのセンサ11Ａ，12とほぼ同じ搬送方向の位置にはＣＣＤライン・センサ13が設けられている。ＣＣＤライン・センサ13はフイルム１の画像記録領域ＡＲの画像を読取るものであり，フイルム１の幅方向に並んだ多数の光電変換素子を含んでいる。
【００５４】
これらの光学的センサ類11Ａ，11Ｂ，11Ｃ，12，13は搬送されるフイルム１の感光乳剤面を向くように配置されている。フイルム１を挟んでこれらの光学的センサ類と反対側には光源23，21Ｂおよび21Ｃが設けられている。光源23はフイルム１の幅方向に長い。光源23の中央部の光はフイルム１を透過し，レンズ系（図示略）を通ってＣＣＤライン・センサ13に入射する。光源23の両端部からの光はフイルム１の両側（パーフォレーションを含む）を通ってセンサ11Ａ，12にそれぞれ入射する。光源21Ｂ，21Ｃはそれぞれセンサ11Ｂ，11Ｃに対応する位置に設けられている。
【００５５】
フイルム１の磁気情報記録領域に面する位置には，磁気読取ヘッド14Ａおよび磁気記録ヘッド14Ｂが設けられている。
【００５６】
ＣＣＤライン・センサ13から出力される映像信号は画像信号処理回路31に入力する。画像信号処理装置31はホワイト・バランス調整，ガンマ補正等の画像信号処理を行う。信号処理された映像信号は表示装置に与えられてその信号によって表わされる画像が表示される。
【００５７】
パーフォレーション検出回路32において，パーフォレーション・センサ11Ａ，11Ｂ，11Ｃの出力信号に増幅，レベル弁別等の処理が加えられる。光学情報読取装置33は光センサ12からの信号に基づいてフイルム１に記録されている光学情報を読取る。磁気情報記録再生装置34は読取ヘッド14Ａからの読取信号を処理するとともに，フイルム１の磁気情報記録領域に書込むべきデータに基づいて書込信号を生成して書込ヘッド14Ｂを駆動する。
【００５８】
フイルム搬送制御装置35はカートリッジ２のスプールに嵌合するフォーク，巻取軸５，キャプスタン・ローラ15等のフイルム駆動に関する要素を含むフイルム駆動装置を制御する。フイルム駆動装置は駆動モータを含む。駆動モータと連動するパルスジェネレータからＦＧパルスが出力される。制御装置35はＦＧパルスに基づいてフイルムの搬送距離（位置）や搬送速度を制御する。
【００５９】
制御装置30は上述した回路や装置31〜35からの信号を受取り，かつこれらの回路や装置を制御する。制御装置30はＣＰＵおよびその周辺装置を含む。制御装置30による光学情報の読取制御のいくつかを次に説明する。
【００６０】
第１番目の例は，まずフイルム１を順方向に高速で搬送し，この順方向高速搬送において磁気情報を読取り，次にフイルム１を逆方向に中速で搬送し，この逆方向中速搬送において，画像の粗い読取りと光学情報の読取りを行うものである。
【００６１】
図11に示すフローチャートにしたがってその概要を説明すると次のようになる。
【００６２】
フイルム・スキャナにフイルム・カートリッジ２が挿入されると，フイルム１をローディングし（ステップ101 ），フイルム１をその先端から後端まで高速で順方向に搬送する。このとき，磁気情報記録領域に記録された磁気情報を読取ヘッド14Ａを通して磁気情報記録再生装置34によって読み取る（ステップ102 ）。磁気情報の読取りにはフイルムをある程度以上の高速で搬送することが必要である。
【００６３】
次に，フイルム１をその後端から先頭の１駒目まで中速で逆方向に搬送しながら画像記録領域ＡＲの画像をＣＣＤラインセンサ13で読取り，画像信号処理装置31によって映像信号を処理する。この画像読取りは粗い読取りであり，得られた映像信号によってインデックス画像が構成される。インデックス画像はモニタ表示装置に表示される（ステップ103 ）。またこの中速逆方向搬送において光学情報が光センサ12からの出力に基づいて光学情報読取装置33によって読取られる。
【００６４】
第１駒目（駒No. １）まで画像の読取りが終了したところで（正確には，フイルム１のリーダ部の領域ＲＴ１，ＦＩ１のバーコードおよびＣＨのビットの読取りが完了したところで），フイルム１の搬送を停止させ（ステップ104 ），メインスキャン命令を待つ。
【００６５】
説明を簡単にするために，光学情報のうちのＦＡＴビット領域ＦＡのＦＡＴビットおよびＣＨＯＬ領域ＣＨのＣＨＯＬビット（ドット）の読取りタイミングについて説明する。
【００６６】
図12はフイルム１を搬送したときにパーフォレーション・センサ11Ａおよび11Ｃから得られる検出信号の波形を示している。フイルム１をその先端と後端との間で搬送すれば順方向搬送でも，逆方向搬送でも同じ信号が得られる。
【００６７】
上述したステップ102 においてフイルムを順方向に高速搬送しながら，磁気情報の読取りを行っていき，パーフォレーション・センサ11Ｃがエンド・パーフォレーションＰＥを検出すると，制御装置30はその位置でフイルム１を停止させる。
【００６８】
次にステップ103 においてフイルム１を逆方向に中速で搬送していくと，パーフォレーション・センサ11ＡからパーフォレーションＰＡおよびＰＭの検出信号が出力される。これらのパーフォレーションＰＡ，ＰＭの検出に基づいてＦＡＴビット領域ＦＡおよびＣＨＯＬ領域ＣＨのビットが光センサ12によって読取られる。
【００６９】
制御装置30は，パーフォレーション・センサ11Ａから入力するパルス信号のうち，パーフォレーションＰＡの後端を表わすエッジを検出する。すなわち，フイルム１の逆方向搬送を開始してから奇数番目のパルスの立上りが検出される。
【００７０】
図５から図７（特に図５参照）に示すＡＰＳフイルムの規格によると，図13に示すように，パーフォレーションＰＡの後端エッジからＦＡＴビット領域ＦＡの後端までの距離は18.8mmである。フイルム１の搬送制御装置35から出力されるＦＧパルスは１パルス間隔が 0.36889mmを表わしているものとする。このＦＧパルス数を計数すればフイルム１の搬送距離が算出される。18.8mmはＦＧパルス数に換算すると51個に相当する。
【００７１】
したがって制御装置30はパーフォレーションＰＡの後端エッジの検出時点から51個のＦＧパルスを計数したときに，光センサ12はＦＡＴビット領域ＦＡの後端と対向するから，光センサ12によるＦＡＴビット領域ＦＡのビットの読取りを開始させる。すなわち，光センサ12の出力信号の取込を開始させる（たとえばゲートを開く）。
【００７２】
図13においてＦＡＴビット領域の前端はパーフォレーションＰＭの後端から 3.9mmの位置にある。これはＦＧパルス数で11個分に相当する。
【００７３】
制御装置30はフイルム１の逆方向搬送を開始してから偶数番目のパルスの立上りをセンサ11Ａの出力信号から検出する。このパルス信号の立上り検出の時点から11個のＦＧパルスを計数したときに，制御装置30は光センサ12によるＦＡＴビットの読取りを終了させる（ゲートを閉じる）。
【００７４】
このようにして，パーフォレーションの検出を基準にして，光センサ12によるＦＡＴビット領域ＦＡのビット・データの読取開始および終了タイミングが制御される。
【００７５】
以上の動作を繰返して，第１駒目のパーフォレーションＰＭ１の後端エッジが検出され，その後11個のＦＧパルスを計数すると，ＦＡＴビット領域ＦＡの読取りが終了し，光センサ12はＣＨＯＬ領域ＣＨにさしかかる。したがって，制御装置30はＣＨＯＬ領域ＣＨのビット・データの読取りを開始する。図14に示すように，ＣＨＯＬ領域ＣＨの先端はパーフォレーションＰＭ１の後端から12.9mmの位置にあり，これは35個のＦＧパルス数に相当する。制御装置30はパーフォレーションＰＭ１の後端エッジ検出から35個のＦＧパルスを計数するとＣＨＯＬ領域ＣＨの読取りを終了する。
【００７６】
制御装置30は既に読取った磁気情報に基づいてフイルム１に含まれている駒数を知ることができる。または制御装置30はフイルムの順方向高速搬送のときにセンサ11Ａが検出したパーフォレーションの数を計数しておけば，この計数値に基づいて駒数を知ることができる。制御装置30は逆方向搬送において第１番目の駒のパーフォレーションＰＭ１を検知することが可能である。
【００７７】
ＣＨＯＬ領域ＣＨの読取りののち必要であれば，続いてフイルム・リーダ部のフイルムＩＤバーコード領域ＦＩ１，ロットNo. バーコード領域ＲＴ１のバーコードの読取りを行うことができ，その読取り終了位置もＦＧパルス数の計数に基づいて判定することができる。
【００７８】
フイルム・トレーラ部のフイルムＩＤバーコード領域ＦＩ２およびロットNo. バーコード領域ＲＴ２は，順方向搬送においてエンド・パーフォレーションＰＥの検出ののち，フイルムをＦＧパルスに基づいてこれらの領域の長さ分順方向にさらに搬送させれば，この後の逆方向搬送において読取ることができる。
【００７９】
上述のようにフイルム１の順方向搬送においてパーフォレーションの数を計数すれば駒数を表わすデータを得ることができるので，フレーム・バーコード領域ＦＡのバーコードを必ずしも読む必要はない。フレーム・バーコード領域ＦＡの読取りを行うときには，逆方向搬送において，一つ後の駒のパーフォレーションＰＭの後端エッジを基準にしてフレーム・バーコード領域ＦＡの後端までの距離をＦＧパルスによって計数して読取りを開始し，その駒のパーフォレーションＰＡの後端エッジを基準にしてフレーム・バーコード領域ＦＡの前端までの距離をＦＧパルスによって計数して読取りを終了させればよい。
【００８０】
上述した説明ではＦＡＴビット領域ＦＡおよびＣＨＯＬ領域ＣＨの読取りの終了位置をパーフォレーションＰＭの後端エッジの検出位置から測定しているが，パーフォレーションＰＡの後端エッジの検出位置から測定してもよい。
【００８１】
また，センサ11Ａによるパーフォレーションの後端エッジの検出位置と光センサ12による光学情報の読取位置との間に搬送方向のずれがあるときには，そのずれに相当する分をオフセット量としてＦＧパルスの計数値に加える，または減じるようにすればよい。
【００８２】
図５または図７から明らかなように，ある駒のＦＡＴビット領域ＦＡは同じ駒のパーフォレーションＰＭの位置から前後にのびている。また，ＣＨＯＬ領域ＣＨはパーフォレーションＰＡ０よりも前方にのびている。ＡＰＳフイルム１の順方向搬送において，ＦＡＴビット領域ＦＡおよびＣＨＯＬ領域ＣＨをそれぞれ対応する駒のパーフォレーションＰＭおよび先頭のパーフォレーションＰＡ０の位置を基準に光学的に読取ろうとすると，これらのパーフォレーションを検出した後，フイルム１を一旦逆方向に所定距離搬送し，続いてフイルム１を順方向に搬送しながら読取らなければならない。上述した第１番目の例では，逆方向搬送においてこれらの領域の読取りを行っている。したがって，ＦＡＴビット領域ＦＡについては対応する駒のパーフォレーションＰＡおよびＰＭをそれぞれ基準にして読取り開始および終了タイミングを定めることができ（図13参照），ＣＨＯＬ領域ＣＨについては第１駒のパーフォレーションＰＭ１を基準にして読取りタイミングを定めることができる（図14参照）。また，ＡＰＳフイルム１を順方向に搬送した後は，必ず逆方向に搬送して元の状態に戻す必要がある。この不可欠の逆方向搬送を利用して光学情報の読取りを行っているので，能率的である。
【００８３】
上に説明したＡＰＳフイルムは一般的なカメラに装填されて使用される規格のものである。特殊なカメラとして，いわゆるレンズ付フイルム・ユニットがある。これは写真フイルムがカメラの形をした箱体内に収められ，この箱体にレンズ，シャッタ，フイルムの巻取り機構，および場合によってはストロボ装置が設けられているものである。レンズ付フイルム・ユニットにもＡＰＳフイルムを使用することが提案されている（これを，特にＬＦ用のＡＰＳフイルムということにする）。
【００８４】
図15(A) は一般のＡＰＳフイルム１のパーフォレーションの配置を示すものである。これは図１に示すものと同じである。図15(B) はＬＦ用のＡＰＳフイルム１Ｌのパーフォレーションの配置を示すものである。同様に，図17(A) は一般のＡＰＳフイルム１の具体的寸法を（図５または図13と同じ），図17(B) はＬＦ用のＡＰＳフイルム１Ｌの具体的寸法をそれぞれ示している。さらに，図16はＬＦ用ＡＰＳフイルム１Ｆをフイルム・スキャナにおいて搬送したときにパーフォレーション・センサ11Ａおよび11Ｃから発生する信号の波形を示している（図12と比較せよ）。
【００８５】
一般のＡＰＳフイルム１と，ＬＦ用のＡＰＳフイルム１Ｌとの違いは次の２点である。
【００８６】
ＬＦ用のＡＰＳフイルム１Ｌにおいては，最後の駒の後部のパーフォレーションＰＡｎの少し後方にもう１つのパーフォレーションＰＭn+1 が形成されている。
【００８７】
ＬＦ用のＡＰＳフルイム１Ｌにおいては，各駒の前部のパーフォレーションＰＡの幅が一般のＡＰＳフイルム１のパーフォレーションＰＡの幅（ 2.0mm）よりも１mm大きく， 3.0mmとなっている。
【００８８】
フイルム・スキャナは一般のＡＰＳフイルム１とＬＦ用のＡＰＳフイルム１Ｌとを次の方法によって識別することができる。第１の方法では，ＡＰＳフイルムの順方向搬送においてフイルム一側のパーフォレーションＰＭとＰＡの総数を計数する。パーフォレーションの総数が奇数であれば一般のＡＰＳフイルムであり，偶数であればＬＦ用のＡＰＳフイルムである。第２の方法ではパーフォレーションＰＡの幅を計測する。 2.0mmと 3.0mmとの間にスレシホールドを設けておく。計測した幅がスレシホールドに達していなけれは一般のＡＰＳフイルムであり，スレシホールドを超えていればＬＦ用のＡＰＳフイルムである。
【００８９】
フイルム・スキャナはＬＦ用ＡＰＳフイルムと判断したときには，ＡＰＳフイルムの逆方向搬送による光学情報の読取処理において，パーフォレーションＰＡの後端エッジの検出時点からフイルムを19.8mm（54個のＦＧパルス分）逆方向に搬送した後にＦＡＴビット領域ＦＡのＦＡＴビットの読取りを開始する（図17(B) 参照）。他の動作は一般のＡＰＳフイルムの場合と同じである。
【００９０】
第２番目の例は，ＡＰＳフイルム１を順方向に高速で搬送する過程において，磁気情報と光学情報を読取るものである。
【００９１】
図18を参照してその概要を説明する。
【００９２】
フイルム・スキャナにフイルム・カートリッジ２が挿入されると，フイルム１をローディングし（ステップ111 ），フイルム１をその先端から後端まで高速で順方向に搬送する。このとき，磁気情報記録領域に記録された磁気情報を読取ヘッド14Ａを通して磁気情報記録再生装置34によって読取る。またこの高速順方向搬送において光学情報を光センサ12からの出力に基づいて光学情報読取装置33によって読取る（ステップ112 ）。
【００９３】
次に，フイルム１をその後端から先頭の１駒目まで中速で逆方向に搬送しながら画像記録領域ＡＲの画像をＣＣＤラインセンサ13で読取り，画像信号処理装置31によって映像信号を処理する。この画像読取りは粗い読取りであり，得られた映像信号によってインデックス画像が構成される。インデックス画像はモニタ表示装置に表示される（ステップ113 ）。
【００９４】
第１駒目（駒No. １）まで画像の読取りが終了したところで，フイルム１の搬送を停止させ（ステップ114 ），メインスキャン命令を待つ。
【００９５】
上述したように第１番目のパーフォレーションＰＡ０の位置よりもフイルムの先端寄りのリーダ部にはロットNo. バーコード領域ＲＴ１，フイルムＩＤバーコード領域ＦＩ１およびＣＨＯＬ領域ＣＨを含む光学情報記録領域，ならびに磁気情報記録領域がある。パーフォレーションＰＡ０を検出するまではこれらの記録領域の正確な位置を検出することはできない。
【００９６】
そこで，ＡＰＳフイルム１のリーダ部における記録情報の読取りは次のようにして行なわれる。光学情報の読取処理について説明する。磁気情報の読取りは光学情報の読取りと同時に行なわれる。
【００９７】
図19を参照して，ＡＰＳフイルム１の先端部を引出し，パーフォレーション・センサ11Ａによって第１番目のパーフォレーションＰＡ０の前端エッジが検出されるまでフイルム１を順方向に搬送する。
【００９８】
第１番目のパーフォレーションＰＡ０を検出すると，フイルム１の搬送を停止し，フイルム１を59.3mmすなわち 161ＦＧパルス分逆方向に搬送する。光センサ12はロットNo. バーコード領域ＲＴ１の先頭位置にくる。
【００９９】
フイルム１を順方向に搬送しながらロットNo. バーコード領域ＲＴ１のバーコードを読取る。この領域ＲＴ１の長さは25.5mmであるから，フイルム１を69ＦＧパルスに相当する距離搬送したところで領域ＲＴ１の読取りを終了する。
【０１００】
フイルム１をそのまま順方向に搬送し続けておく。光センサ12はフイルムＩＤバーコード領域ＦＩ１に入るので，この領域ＦＩ１のバーコードを読取る。フイルム１をこの領域の長さに相当する78ＦＧパルス分の距離搬送したときに領域ＦＩ１の読取りを終える。
【０１０１】
フイルム１は順方向に搬送され続けており，次にＣＨＯＬ領域ＣＨの読取りが行なわれる。この領域ＣＨの読取り中にパーフォレーションＰＡ０の前端エッジが検出される。この前端エッジの検出から14ＦＧパルス分の距離のところで領域ＣＨの読取りが終る。
【０１０２】
引続き第１駒（No. １）のＦＡＴ領域ＦＡ１の読取りが行なわれる。ＦＡＴ領域ＦＡ１の読取中にパーフォレーションＰＭ１の前端エッジが検出されるので，この検出から25ＦＧパルス分の距離のところでＦＡＴ領域ＦＡ１の読取りを停止する。この読取り停止位置をパーフォレーションＰＡ０の前端エッジの位置から測定することもできる。
【０１０３】
図20を参照して，各駒（No. ｍ）のＦＡＴ領域ＦＡｍおよびフレーム・バーコード領域ＦＲｍの読取りは次のようにして行なわれる。その駒（No. ｍ）の前の駒（No. ｍ−１）のパーフォレーションＰＡm-1 の前端エッジの検出から14ＦＧパルス分搬送した時点からＦＡＴ領域ＦＡｍの読取りを開始する。パーフォレーションＰＭｍの前端エッジの検出から25ＦＧパルス分フイルム１を送ったところでＦＡＴ領域ＦＡｍの読取りが終了し，続いてフレーム・バーコード領域ＦＲｍの読取りに移る。この領域ＦＲｍの長さに相当する53ＦＧパルス分のフイルム搬送の間，フレーム・バーコードの読取りが行なわれる。
【０１０４】
ＡＰＳフイルム１のトレーラ部における光学情報の読取りは次のようにして行なわれる。
【０１０５】
図21を参照して，最終駒（No. ｎ）のパーフォレーションＰＡｎの前端エッジの検出から24ＦＧパルス分の距離進んだ位置からフイルムＩＤバーコード領域ＦＩ２の読取りが始まり，これは78ＦＧパルス分の距離搬送されるまで続く。続いてロットNo. バーコード領域ＲＴ２の読取りに入り，70個のＦＧパルスが発生したときにこの領域ＲＴ２の読取りを停止する。
【０１０６】
この順方向搬送読取りにおいてはパーフォレーションの前端エッジ検出が基準となっているので，ＬＦ用ＡＰＳフイルムの場合にも上述のやり方と同じようにして光学情報の読取りが行える。
【０１０７】
センサ11Ａによるパーフォレーションの前端エッジの検出位置と光センサ12による光学情報の読取位置との間に搬送方向のずれがあるときには，そのずれに相当する分をオフセット量としてＦＧパルスの計数値に加える，または減じるようにすればよいのはいうまでもない。
【０１０８】
図22は図８に示すパーフォレーション検出回路32および光学情報読取装置33の詳細な回路構成を示している。ＣＰＵ40はこれらの検出回路32および読取装置33に共通に設けられている。
【０１０９】
光学情報の読取光センサ12は２つのセンサ（光検出器または受光素子）12ａと12ｂを備えている。センサ12ａは，図25に示すように，ＡＰＳフイルム１が搬送されたときに，フレーム・バーコード領域ＦＲのクロック・コード列ＣＬＣが通過する位置に配置され，このコード列ＣＬＣを読取る。センサ12ｂはデータ・コード列ＤＴＣを読取る。これらのセンサ12ａおよび12ｂの受光信号は増幅回路42ａおよび42ｂでそれぞれ増幅され，ＣＰＵ40のＡ／Ｄポートに与えられる。ＣＰＵ40はこれらの受光信号を適当なサンプリング周期ごとにディジタル・データに変換して読込む。
【０１１０】
パーフォレーション・センサ11Ａの出力信号はバッファ回路44を経て一方ではＣＰＵ40のＡ／Ｄポートに与えられる。ＣＰＵ40はセンサ11Ａの出力信号をディジタル・データに変換して読込む。
【０１１１】
パーフォレーション・センサ11Ａの出力信号はバッファ回路44を経て他方では比較回路41Ａに入力する。同じように，他のパーフォレーション・センサ11Ｂおよび11Ｃの出力信号も比較回路41Ｂおよび41Ｃに入力する。他方，Ｄ／Ａ変換回路45にはＣＰＵ40からしきい値を表わすディジタル・データが与えられる。Ｄ／Ａ変換回路45はこのディジタル・データをアナログ電圧に変換して，基準電圧としてそれぞれ比較回路41Ａ，41Ｂおよび41Ｃに与える。比較回路41Ａ，41Ｂおよび41Ｃはパーフォレーション・センサ11Ａ，11Ｂおよび11Ｃの出力信号を基準電圧と比較し，この実施例では出力信号の方が基準電圧よりも高ければ出力を発生する。比較回路41Ａ，41Ｂおよび41Ｃの出力信号はシュミット回路43Ａ，43Ｂおよび43Ｃによってそれぞれ波形整形されてＣＰＵ40に入力する。
【０１１２】
これらのセンサ12ａ，12ｂ，11Ａ〜11Ｃによる光学情報の読取り動作やパーフォレーションの検出動作には多くの特徴がある。これらの特徴について以下に詳述する。各種光センサの出力信号にはそのセンサに入射する光量が多いほどより高いレベルを示す信号出力形態と，より低いレベルを示す信号形態とがあるが，以下の説明では前者の信号出力形態を前提とする。
【０１１３】
ＡＰＳフイルムに限らず，いかなる写真フイルムであってもフイルム・ベースの濃度には個体差があり，フイルムごとに濃度が異なる。この結果，フイルムの光透過率（反射光に基づいてパーフォレーションの検出や光学情報の読取りを行う場合には光反射率）がフイルムによって異なる。また，フイルムには汚れや塵埃が付着している場合がある。これらの理由のために，比較回路41Ａ〜41Ｃに固定の基準電圧（しきい値）を設定しておくと，パーフォレーションを正確に検出できないおそれがある。
【０１１４】
図24はセンサ11Ａ，11Ｂまたは11Ｃの前面をパーフォレーションが通過したときにセンサから出力される信号波形を示している。実線で示す信号波形が得られるという前提でレベル弁別のためのしきい値ＴＨを固定的に設定しておいたとする。光透過率の高いベースのフイルムが搬送されたときには破線で示す信号波形が得られたとすると，先に定めたしきい値ＴＨではパーフォレーションの存在を検出することはできない。フイルム・ベースの光透過率が実線と破線の間にあり，かつ比較的レベルの高いノイズ成分が重畳しているような鎖線で示す信号波形の場合にはノイズ成分がしきい値ＴＨを超え，誤検知が生じる。
【０１１５】
そこでこの実施例では，第１の特徴として，次に説明するようなパーフォレーションの検出のための可変のしきい値が用いられる。図23を参照して，比較回路41Ａ，41Ｂおよび41Ｃにはあらかじめ適当な初期しきい値Ｔｈ１が設定されている。すなわち，ＣＰＵ40からしきい値Ｔｈ１を表わすディジタル・データがＤ／Ａ変換回路45に与えられ，これに対応するアナログ電圧がＤ／Ａ変換回路45から比較回路41Ａ，41Ｂおよび41Ｃに基準電圧として与えられている。
【０１１６】
ＡＰＳフイルム１の順方向搬送において，パーフォレーション・センサ11Ａ，11Ｃによって順次フイルム１の先端が検出される。フイルム先端の検出の後はこれらのセンサ11Ａ，11Ｃの出力信号レベルは低くなる。
【０１１７】
パーフォレーション・センサ11Ｃの出力信号のレベルが初期しきい値Ｔｈ１よりも下った時点でフイルム１の搬送が一時的に停止される。このときのパーフォレーション・センサ11Ａの出力信号がバッファ回路44を経てＣＰＵ40に読込まれる。パーフォレーション・センサ11Ａの入射光はフイルム１のベースの透過光であり，このセンサ11Ａの出力信号はフイルム・ベースの濃度を表わしている。ＣＰＵ40は読込んだセンサ11Ａの出力レベル（これをＤＣとする）にあらかじめ定めたレベルαを加え，Ｔｈ２＝ＤＣ＋αとして新たなしきい値Ｔｈ２を設定する。この新たなしきい値Ｔｈ２を表わすディジタル・データはＤ／Ａ変換回路45に与えられる。Ｄ／Ａ変換回路45からしきい値Ｔｈ２に対応するアナログ電圧が出力され，比較回路41Ａ〜41Ｃに与えられる。ＡＰＳフイルム１の順方向搬送が再開され，パーフォレーション・センサ11Ａ〜11Ｃの出力信号がこの新たなしきい値Ｔｈ２でレベル弁別されることによりパーフォレーションまたはそのエッジの検出が行なわれることになる。
【０１１８】
このようにして，フイルム・ベース濃度，汚れ，塵埃等にかかわらず，適正なしきい値Ｔｈ２が設定されているので，誤検知の起りにくいパーフォレーション検出が達成される。上記の例ではＤＣレベルに加算するレベルαとして固定値が用いられているが，センサ11Ａがフイルムを検知していないときのレベルとベース・レベルＤＣとの間にしきい値Ｔｈ２を設定してもよいなど，しきい値Ｔｈ２の決定方法には多くくのバリエーションがある。
【０１１９】
第２の特徴は既に述べたように，画像記録領域ＡＲの照明用と，光学情報記録領域ＦＡ，ＦＲ等の照明用とに共通の光源（たとえば蛍光管）23を用いていることである。図10ではパーフォレーションの通過領域もこの光源23によって照明されている。図示は省略されているが，光学情報記録領域を限定的に照明するために光源23の前面には採光穴が形成され，この穴の周囲が遮光される。また，センサ12ａおよび12ｂの前面には受光穴が形成され，その周囲が遮光される。このことによって光源23からの光は採光穴，フイルム，受光穴を通ってセンサ12ａ，12ｂに受光され，センサ12ａ，12ｂに入射する外乱光がきわめて低減する。パーフォレーションを検出するセンサ11Ａについても同様である。光源の共通化によりコストダウン，省スペース化を図ることができる。
【０１２０】
第３の特徴はＦＡＴビット領域ＦＡのＦＡＴビットを読取るセンサとフレーム・バーコード領域ＦＲのデータ・コード列ＤＴＣを読取るセンサとをセンサ12ｂで共用したことである。これによりコストダウンと省スペース化を図ることができる。また，図22に示されるようにＣＰＵ40の入力ポートも一系統ですむ。
【０１２１】
ＦＡＴビット用センサとデータ・コード列用センサとの共通化はいくつかの特徴的技術の上に達成できる。これらの技術の一つが第４の特徴となっている。
【０１２２】
上述したように，パーフォレーションの前端または後端の検出の時点からＦＧパルスを計数することによりフイルムの搬送距離を測定し，ＦＡＴビット領域ＦＡやフレーム・バーコード領域ＦＲの始端および終端を認識している。これらの領域ＦＡ，ＦＲをＦＧパルス数により定めることができるので，センサ12ｂをこれらの領域のコード（ビット）の読取りに共用しても，ＣＰＵ40はどの領域のコードであるかを認識して，正しい判読が可能となる。
【０１２３】
さらに上述したように，フレーム・バーコード領域ＦＲのバーコードはフイルムの製造工程において記録されるので，一般には，フイルムの現像後は黒色に現われる。これに対してＦＡＴビット領域ＦＡのＦＡＴビットはカメラに内蔵された光源を用いて露光されるので，フイルムの現像後に黒色に現われるとは限らず，他の色（たとえば緑色）に現われる。したがって，一般には，バーコードを透過した光とＦＡＴビットを透過した光とは光量が異なるので，センサ12ｂの出力信号のレベルが異なる（図25参照）。ＦＡＴビットの読取りとバーコードの読取りのために同一のしきい値を用いることはできない。そこで，第４の特徴として，ＦＡＴビットの読取り方法と，バーコードの読取り方法とを異ならせている。
【０１２４】
図25に示されるように，ＦＡＴビット領域ＦＡの読取期間において，センサ12ｂの出力信号に所定の傾きＣ以上の傾きをもつ急激な立上りまたは立下りが現われたときに，ＦＡＴビット有とする。センサ12ｂの出力信号は所定の周期でサンプリングされ，Ａ／Ｄ変換される。１または所定複数のサンプリング周期の間に所定値以上のレベル変化が検知されればＦＡＴビット有と判断される。
【０１２５】
フレーム・バーコード領域ＦＲのバーコードは上述したようにクロック・コード列ＣＬＣとデータ・コード列ＤＴＣとから構成され，これらのコード列ＣＬＣとＤＴＣはそれぞれセンサ12ａ，12ｂにより読取られる。データ・コード列ＤＴＣの読取信号は所定のしきい値Ｔｈ３（後に説明する）でレベル弁別される。クロック・コード列ＣＬＣの読取信号に現われる変曲点が図26に示すように検知される。サンプリング周期Δｔ1 ごとにＣＬＣ読取信号のレベルを比較し，レベルの変化が正から負に，または負から正に変化する点が変曲点である。ＣＬＣ読取信号の変曲点の検知タイミングでＤＴＣ読取信号の弁別されたレベルを判定することにより，データ・コードが判読される。クロック・コードの変曲点の位置でデータ・コードを読取っているので，正しいタイミングで，しかもこれらの読取信号に多少のレベル変動があっても誤ることなく，正確なバーコード読取りが可能となる。
【０１２６】
データ・コード列ＤＴＣの先頭と後尾にはそれぞれ３クロック分および２クロック分の固定パターンがある。先頭の固定パターンの読取期間におけるセンサ12ｂの信号レベルの平均値が算出され，この平均値がしきい値Ｔｈ３として設定される。データ・コード列ＤＴＣの一部の信号レベルに基づいてしきい値Ｔｈ３を設定しているので，フイルム・ベース等に影響されないしきい値の設定が可能である。これが第５の特徴である。
【０１２７】
センサ12を用いて，同じようにして，ロットNo. バーコード領域ＲＴ１，ＲＴ２，フイルムＩＤバーコード領域ＦＩ１，ＦＩ２およびＣＨＯＬ領域ＣＨの読取りが可能であるのはいうまでもない。
【０１２８】
上記の例ではフイルムを透過した光を検知してバーコード等の読取りが行なわれているが，フイルムからの反射光に基づいて同じように読取りが可能であるのはいうまでもない。
【図面の簡単な説明】
【図１】ＡＰＳフイルムの基本的構成を示すものである。
【図２】ＦＡＴビット領域に記録されるＦＡＴビットの例を示す。
【図３】フレーム・バーコード領域に記録されるバーコードの例を示す。
【図４】ＣＨＯＬ領域に記録されるＣＨＯＬドットの例を示す。
【図５】ＡＰＳフイルムの各領域の具体的寸法を示す。
【図６】ＡＰＳフイルムの各領域の具体的寸法を示す。
【図７】ＡＰＳフイルムの各領域の具体的寸法を示す。
【図８】フイルム・スキャナの構成を示すブロック図である。
【図９】フイルム搬送路の正面図である。
【図１０】フイルム搬送路の断面図である。
【図１１】逆方向搬送において光学情報を読取る第１の例の動作の概要を示すフロー・チャートである。
【図１２】パーフォレーション・センサから出力される信号の波形図である。
【図１３】光学情報記録領域の読取りタイミングを説明するための図である。
【図１４】光学情報記録領域の読取りタイミングを説明するための図である。
【図１５】  (A) は一般的なＡＰＳフイルムを，(B) はレンズ付フイルム・ユニットで用いられるＡＰＳフイルムをそれぞれ示す。
【図１６】レンズ付フイルム・ユニットで用いられるＡＰＳフイルムについてパーフォレーション・センサから出力される信号の波形図である。
【図１７】レンズ付フイルム・ユニットで用いられるＡＰＳフイルムの光学情報の読取りタイミングを説明するためのもので，(A) は一般用ＡＰＳフイルム，(B) はレンズ付フイルム・ユニット用ＡＰＳフイルムを示す。
【図１８】順方向搬送において光学情報を読取る第２の例の動作の概要を示すフロー・チャートである。
【図１９】光学情報記録領域の読取りタイミングを説明するための図である。
【図２０】光学情報記録領域の読取りタイミングを説明するための図である。
【図２１】光学情報記録領域の読取りタイミングを説明するための図である。
【図２２】光センサおよびパーフォレーション・センサから出力される信号を処理する具体的回路例を示すブロック図である。
【図２３】パーフォレーション・センサの出力信号のレベル弁別しきい値を決定する方法を説明するための波形図である。
【図２４】固定しきい値によって誤動作が生じることを説明するための波形図である。
【図２５】ＦＡＴビット領域およびフレーム・バーコード領域と，これに関連させてこれらの領域の読取信号の波形を示すものである。
【図２６】変曲点の検知の様子を示すものである。
【符号の説明】
１  ＡＰＳフイルム
２  カートリッジ
11Ａ，11Ｂ，11Ｃ  パーフォレーション・センサ
12  光学情報読取光センサ
12ａ  クロック・コード・センサ
12ｂ  データ・コード・センサ
13  ＣＣＤライン・センサ
21Ｂ，21Ｃ，23  光源
30  制御装置
32  パーフォレーション検出回路
33  光学情報読取装置
35  フイルム搬送制御装置
40  ＣＰＵ
41Ａ，41Ｂ，41Ｃ  比較回路
45  Ｄ／Ａ変換回路
ＰＭ（ＰＭ１〜ＰＭｎ），ＰＡ（ＰＡ０〜ＰＡｎ），ＰＥ  パーフォレーション
ＡＲ  画像記録領域
ＦＡ  ＦＡＴビット領域
ＦＲ  フレーム・バーコード領域
ＣＬＣ  クロック・コード列
ＤＴＣ  データ・コード列
ＲＴ１，ＲＴ２  ロットNo. バーコード領域
ＦＩ１，ＦＩ２  フイルムＩＤバーコード領域
ＣＨ  ＣＨＯＬ領域
【図１】
0003686213.tif 000002
【図２】
0003686213.tif 000003
【図３】
0003686213.tif 000004
【図４】
0003686213.tif 000005
【図５】
0003686213.tif 000006
【図６】
0003686213.tif 000007
【図７】
0003686213.tif 000008
【図８】
0003686213.tif 000009
【図９】
0003686213.tif 000010
【図１０】
0003686213.tif 000011
【図１１】
0003686213.tif 000012
【図１２】
0003686213.tif 000013
【図１３】
0003686213.tif 000014
【図１４】
0003686213.tif 000015
【図１５】
0003686213.tif 000016
【図１６】
0003686213.tif 000017
【図１７】
0003686213.tif 000018
【図１８】
0003686213.tif 000019
【図１９】
0003686213.tif 000020
【図２０】
0003686213.tif 000021
【図２１】
0003686213.tif 000022
【図２２】
0003686213.tif 000023
【図２３】
0003686213.tif 000024
【図２４】
0003686213.tif 000025
【図２５】
0003686213.tif 000026
【図２６】
0003686213.tif 000027